(57)【要約】      （修正有）【課題】ハンドル部そのものを両手で把持するのではなく、ハンドル部とは別に、もう片方の手で把持することで両手での操作を容易にし、幅広い機種に取付け可能な取っ手を提供する。【解決手段】先端部に機能性部位を備え、先端部とハンドル部との間が１００ｃｍ以上の長い管を有する道具に対して、着脱自在に取付ける取っ手であって、先端部とハンドル部の間の管９の周囲に巻き付け、管に固定できる２本のベルト部３と、２本のベルト部の間をブリッジする婉曲した把持部２と、を備える。ベルト部を管に固定するのではなく、管の代わりに取り付け可能な代替管に婉曲した把持部結合されていてもよい。【選択図】図１
0003195410.tif 000002
【実用新案登録請求の範囲】
【請求項１】
先端部に機能性部位を備え、該先端部とハンドル部との間が１００ｃｍ以上の長い管を有する道具に対して、着脱自在に取付ける取っ手であって、
前記先端部と前記ハンドル部の間の前記管の周囲に巻き付け、前記管に固定し得る２本のベルト部と、
前記２本のベルト部の間をブリッジする婉曲した把持部と、
を備えたことを特徴とする取っ手。
【請求項２】
先端部に機能性部位を備え、該先端部とハンドル部との間が１００ｃｍ以上の長い管を有する道具に対して、着脱自在に取付ける取っ手であって、
前記先端部と前記ハンドル部の間の前記管を構成する一部の管の代替となる代替管と、
前記代替管の両端間をブリッジする婉曲した把持部と、
を備えたことを特徴とする取っ手。
【請求項３】
前記機能性部位が吸込み口であり、
前記道具が電気掃除機であることを特徴とする請求項１又は２に記載の取っ手。
【請求項４】
前記機能性部位が、鋏（はさみ）、カッター、或は、スチーム噴出口であり、
前記ハンドル部が片手の握り部であり、
前記道具が枝切り鋏、スチームクリーナー、或は、草刈機である、
ことを特徴とする請求項１又は２に記載の取っ手。
【考案の詳細な説明】
【技術分野】
【０００１】
本考案は、電気掃除機や枝切り鋏などの取っ手に関する。
【背景技術】
【０００２】
従来から、掃除機の持ち手としては、掃除機本体と接続するホースの他端部に設けられ、掃除機のスイッチのＯＮ／ＯＦＦを含む操作を行えるハンドル部を備えるものが数多く存在する。
しかし、ハンドル部の多くは、片手で持つことを想定した構造となっており、力の弱い高齢者等にとって、両手で操作するためには、もう片方の手で掃除機の先端部とハンドル部の間の管の部位を持たなければならなかった。しかし、そのような管の部位は、ごみが通過できるためのある程度の太さを備えているため、必ずしも片手で掴んで把持するには適した形状とは言えず、扱い難いものであった。さらに、壁や天井を掃除する際には、掃除機の先端部を持ち上げる必要があり、力の弱い高齢者等にとって片手だけで持ち上げることは非常に困難であった。
【０００３】
このような事情から、ハンドル部のグリップを両手で持つことができるとともに、掃除機の先端部の吸口体を持ち上げるなどの操作性を向上させた電気掃除機用手元ハンドル部が知られている（例えば、特許文献１を参照。）。特許文献１に開示された掃除機では、掃除機の先端部とハンドル部の間の管の管軸に対して平行に棒状の手元ハンドル部を設けることで、ハンドル部のグリップを両手で持つことを可能にするものである。
また一方で、壁際を掃除する際の掃除作業性を向上する電気掃除機が知られている（例えば、特許文献２を参照。）。特許文献２に開示された掃除機では、手元側の接続管の上方に把持部を形成すると共に、下方に取っ手部を形成するものである。或は、上方に把持部を形成された手元側の接続管とその延長管との間に取っ手部を有する補助パイプを接続するものである。
【０００４】
特許文献１に開示された電気掃除機用の手元ハンドル部は、延長管の上方に延長管と並行に配置された棒状のグリップであるため、両手で握ったとしても、握る箇所によっては、手が滑ってしまい、握力の弱い高齢者等にとっては、扱い難いといった問題がある。
また、特許文献２に開示された電気掃除機における把持部及び取っ手部は、特許文献１とは異なり、別個に設けられているが、特定の掃除機に合わせたものを想定しており、多様な掃除機に汎用的に用いることができない点で問題である。
【先行技術文献】
【特許文献】
【０００５】
【特許文献１】特開２０１２−２１０３００号公報
【特許文献２】特開２００６−３４０７３９号公報
【考案の概要】
【考案が解決しようとする課題】
【０００６】
上記状況に鑑みて、本考案は、両手での操作を容易にし、幅広い機種に取付け可能な、電気掃除機や枝切り鋏などの機能性部位を有する道具の取っ手を提供することを目的とする。
【課題を解決するための手段】
【０００７】
上記目的を達成すべく、本考案の取っ手は、先端部に機能性部位を備え、先端部とハンドル部との間が１００ｃｍ以上の長い管を有する道具に対して、着脱自在に取付ける取っ手であって、先端部とハンドル部の間の管の周囲に巻き付け、管に固定し得る２本のベルト部と、２本のベルト部の間をブリッジする婉曲した把持部を備える取っ手である。
【０００８】
取っ手部は、婉曲した管状の形状をしており、持つ位置によって持ち手の角度が異なるため、床や壁、天井等、様々な場所での利用が可能である。ベルト部は、長さ調整が可能であり、かつ、任意の位置で固定することが可能な形状である。
取っ手部の材質は、金属、或は、プラスチック、ゴム、シリコン等の樹脂製のものであることが好ましい。ベルト部の材質は、織布であることが好ましいが、皮製や樹脂製のものであっても良い。また、取っ手部とベルト部の材質は、上記の何れかの素材を組み合わせたものであっても良い。
また、取っ手部とベルト部の結合方法としては、接着や溶接等により結合されることが好ましいが、取っ手部の両端部にベルトを挿通するための孔を設け、その孔にベルトを挿通して結合されても良いし、或は、取っ手部とベルト部が同じ材質で、双方が一体成型され半永久的に結合されていても良い。
【０００９】
ベルト部と管との固定方法としては、ベルト部の端部の面上に、脱着が容易になるように、面ファスナーを用いることが好ましいが、バックル、粘着テープ等を用いても良い
また、使用時に取っ手が管に沿って滑ることを防止するために、ベルト部の管への接触面側には、粘着性素材を用いた滑り止めが設けられることが好ましい。
【００１０】
また、本考案の取っ手は、先端部に機能性部位を備え、先端部とハンドル部との間が１００ｃｍ以上の長い管を有する道具に対して、着脱自在に取付ける取っ手であって、先端部とハンドル部の間の管を構成する一部の管の代替となる代替管と、代替管の両端間をブリッジする婉曲した把持部を備える取っ手であっても良い。
【００１１】
この場合、代替管の形状としては、先端部側の端部からハンドル部側の端部にかけて、略円柱状の形状となっており、それぞれの端部付近は、先端部に付設された管、並びに、ハンドル部に付設された管と嵌合できるように、外径が小さくなっている。
代替管の材質は、取っ手部と同じ材質で一体成型されていることが好ましいが、異なる材質を用いて、溶接等により結合するものでも良い。また、代替管とハンドル部との固定方法としては、ハンドル部に付設された管に代替管を挿し込むことによって固定するため、代替管のハンドル部側端部は、ゴム等の摩擦係数の高い素材を用いても良い。
【００１２】
また、本考案の取っ手は、管に巻き付ける形態のものについては、対象となる管の径に合わせて長さ調整が可能であるので、高枝切りバサミ、スチームクリーナー、草刈機等にも利用可能である。
【考案の効果】
【００１３】
本考案の取っ手によれば、力の弱い高齢者等でも、両手で容易に、電気掃除機や枝切り鋏などの機能性部位を有する道具の操作することが可能になるといった効果を有する。
【図面の簡単な説明】
【００１４】
【図１】実施例１の掃除機の取っ手の斜視図
【図２】実施例１の掃除機の取っ手の掃除機への取り付け時の外観図
【図３】実施例２の掃除機の取っ手の斜視図
【図４】実施例２の掃除機の取っ手の掃除機への取り付け時の外観図
【考案を実施するための最良の形態】
【００１５】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１６】
図１は、実施例１の掃除機の取っ手の斜視図を示している。１は取っ手、２は把持部、３ａ及び３ｂはベルト部である。把持部２は、婉曲した管状の形状をしており、持つ位置によって持ち手の角度が異なるため、床や壁、天井等、様々な場所での利用が可能である。ベルト部（３ａ，３ｂ）は、長さ調整が可能であり、かつ、任意の位置で固定することが可能な形状である。
把持部２の材質は、金属、或は、プラスチック、ゴム、シリコン等の樹脂製のものである。ベルト部（３ａ，３ｂ）の材質は織布であるが、皮製や樹脂製のものであっても良い。また、把持部２とベルト部（３ａ，３ｂ）の材質は、上記の何れかの素材を組み合わせたものであっても良い。
【００１７】
図１に示されるように、把持部２は、ハンドル側端部２ａと吸込み口側端部２ｂにおいて、それぞれベルト部３ａ及び３ｂと結合している。結合方法としては、溶接により結合されている。他に、把持部２の両端部にベルトが挿通するための孔を設け、その孔にベルトを挿通して結合されても良いし、同じ材質で、一体成型されていても良い。
ベルト部（３ａ，３ｂ）は、掃除機の延長管７に巻き付けて固定されている。固定方法としては、面ファスナーを用いているが、バックル、ボタン、粘着テープを用いても良い。
また、使用時に取っ手１が延長管７に沿って滑ることを防止するために、ベルト部（３ａ，３ｂ）の、延長管接触面側には、粘着性素材を用いた滑り止めを設けている。
【００１８】
図２は、実施例１の掃除機の取っ手の掃除機への取り付け時の外観図である。
図２に示されるように、掃除機本体（図示せず）には、ハンドル部６、既の延長管７、吸込み部８が予め備えられ、ハンドル部６と延長管７、延長管７と吸込み部８が、それぞれ接続され得るようになっており、取っ手１は掃除機の延長管７に取り付けて使用している。
すなわち、ハンドル部６そのものを両手で把持するのではなく、ハンドル部６とは別に、もう片方の手で把持するための取っ手１として取り付けられているため、右手と左手でそれぞれ把持することで、誰でも安定して掃除機を操作することが可能となっている。
実施例１では、取っ手１は延長管７に取り付けているが、使用する掃除機の種類によっては、吸込み部８に備えられた管の周囲に取り付けても良いし、ハンドル部６の端吸込み口側端部付近に取り付けても良い。
【００１９】
実施例１の取っ手は、対象となる管の径に合わせてベルト部（３ａ，３ｂ）を調整することで、高枝切りバサミ、スチームクリーナー、草刈機等にも利用可能である。
【実施例２】
【００２０】
図３は、実施例２の掃除機の取っ手の斜視図である。実施例２では、取っ手４は、ベルト部（３ａ，３ｂ）を延長管７に固定するものではなく、取っ手４を掃除機のハンドル部６に挿し込むものとなっている。
取っ手４には、既製の延長管７の代わりに取り付け可能なパイプ５と、パイプ５に結合した取っ手部２と、が設けられている。
パイプ５の形状は、吸込み口側端部５ｂからハンドル部側端部５ａ方向へと、略円柱状の形状となっており、ハンドル部側端部５ａ付近は、ハンドル部側端部５ａに近づくに従って、やや径が小さくなる形状である。
【００２１】
パイプ５の材質は、プラスチック素材で一体成型されている。異なる材質を用いて、溶接等により結合するものでも良い。また、パイプ５とハンドル部６との固定方法としては、ハンドル部にパイプを挿し込むことによって固定するため、ハンドル部側端部５ａには、ゴム等の摩擦係数の高い素材を用いている。
【００２２】
図４は、実施例２の掃除機の取っ手の掃除機への取り付け時の外観図である。図４に示されるように、実施例２においては、取っ手４は既製の延長管７の代わりに使用している。その他、ハンドル部６と既製の延長管７の間に取り付けて、既製の延長管７と併用しても良い。
【産業上の利用可能性】
【００２３】
本考案は、電気掃除機、枝切り鋏、スチームクリーナー、或は、草刈機の補助用の取っ手として有用である。
【符号の説明】
【００２４】
１，４  取っ手
２  把持部
３  ベルト部
５  パイプ
６  ハンドル部
７  延長管
８  吸込み部
９  吸込み管
１０  掃除機本体
１１  蛇腹管
１２  操作スイッチ
【図１】
0003195410.tif 000003
【図２】
0003195410.tif 000004
【図３】
0003195410.tif 000005
【図４】
0003195410.tif 000006